(57)【要約】【課題】回転磁気ヘッド装置において、回転ドラムの磁気ヘッドの位置の検出精度を高める。【解決手段】ＰＧ検出素子７を実装する回路基板６とモータ５の間に磁気遮蔽部材８を設ける。磁気遮蔽部材８のＰＧ検出素子７に対応する位置には、ＰＧ着磁部から出た磁束を透過させるための開孔２３を設ける。磁気遮蔽部材８によって、ＰＧ検出素子７を位置決めしてモータ５の回転磁性体１１とＰＧ検出素子７とのギャップの変動を抑制すると共に、回転磁性体１１からの駆動用着磁の漏れ磁束、及び、モータ５のコイル１２の切替ノイズを遮蔽する。これにより、ＰＧ検出素子７による磁気ヘッド４ａの位置の検出精度を高めることができる。【選択図】　　　　図２
0003097433.tif 000002
【実用新案登録請求の範囲】
【請求項１】
磁気テープをガイドする固定ドラムと、
前記固定ドラムと同軸に回転自在に支持され、磁気テープに対して信号を記録／再生する磁気ヘッドを有する回転ドラムと、
駆動用及びＰＧ検出用の着磁が施され、前記回転ドラムに結合されている環状の回転磁性体及び該回転磁性体を駆動するコイルを有し、前記回転ドラムを回転駆動する駆動モータと、
前記回転磁性体のＰＧ検出用の着磁が施されたＰＧ着磁部の回転軌道の近傍に配置され、前記磁気ヘッドの位置を検出するＰＧ検出素子と、
前記ＰＧ検出素子が実装されると共に、前記駆動モータのコイルに給電を行う回路基板とを備えた回転磁気ヘッド装置において、
前記ＰＧ着磁部は、前記環状の回転磁性体の上端面に前記回転ドラムの軸と平行に着磁され、
前記駆動モータのコイル及び回路基板は、前記固定ドラムから立設された支持部材によって支持されている軟質磁性材料から成る磁気遮蔽部材に固定され、
前記磁気遮蔽部材は、前記回路基板と前記駆動モータの間に設けられ、前記ＰＧ検出素子に対応する位置に、前記ＰＧ着磁部から出た磁束を透過させるための開孔を有し、
前記回路基板が前記磁気遮蔽部材に固定され、また、前記ＰＧ検出素子が前記磁気遮蔽部材の開孔の端面と当接することにより、該ＰＧ検出素子は位置決めされ、これにより、前記駆動モータの回転磁性体と該ＰＧ検出素子とのギャップの変動を抑制すると共に、前記磁気遮蔽部材によって、該回転磁性体からの駆動用着磁の漏れ磁束、及び、前記駆動モータのコイルの切替ノイズを遮蔽し、もって、ＰＧ検出素子の検出精度の向上を図ったことを特徴とする回転磁気ヘッド装置。
【請求項２】
磁気テープに対して信号を記録／再生する磁気ヘッドを有する回転ドラムと、
駆動用及びＰＧ検出用の着磁が施され、前記回転ドラムに結合されている回転磁性体及び該回転磁性体を駆動するコイルを有し、前記回転ドラムを回転駆動する駆動モータと、
前記回転磁性体のＰＧ検出用の着磁が施されたＰＧ着磁部の回転軌道の近傍に配置され、前記磁気ヘッドの位置を検出するＰＧ検出素子と、
前記ＰＧ検出素子が実装されると共に、前記駆動モータのコイルに給電を行う回路基板とを備えた回転磁気ヘッド装置において、
前記回路基板と前記駆動モータの間には磁気遮蔽部材が設けられ、
前記磁気遮蔽部材によって、前記駆動モータの回転磁性体からの漏れ磁束、及び、前記駆動モータのコイルの切替ノイズを遮蔽し、前記ＰＧ検出素子の検出精度の向上を図ったことを特徴とする回転磁気ヘッド装置。
【請求項３】
前記磁気遮蔽部材は、軟質磁性材料から成ることを特徴とする請求項２に記載の回転磁気ヘッド装置。
【請求項４】
前記磁気遮蔽部材は、前記ＰＧ検出素子に対応する位置に、前記ＰＧ着磁部から出た磁束を透過させるための開孔を有していることを特徴とする請求項２又は請求項３に記載の回転磁気ヘッド装置。
【請求項５】
前記磁気遮蔽部材は前記回転ドラムの外周近傍に立設された支持部材によって支持されており、前記駆動モータのコイル及び回路基板は、該磁気遮蔽部材に固定されていることを特徴とする請求項２乃至請求項４のいずれかに記載の回転磁気ヘッド装置。
【考案の詳細な説明】
【０００１】
【考案の属する技術分野】
本考案は、ビデオカセットレコーダの回転磁気ヘッド装置に関するものである。
【０００２】
【従来の技術】
従来から、回転磁気ヘッド装置は、回転ドラムを駆動するモータの近傍に配置されたＰＧ（Ｐｕｌｓｅ　Ｇｅｎｅｒａｔｏｒ）検出素子によって回転ドラムに取り付けられた磁気ヘッドの位置を検出するように構成されている。このような従来の回転磁気ヘッド装置を図５に示す。回転磁気ヘッド装置１００は、固定ドラム３及びシャフト４０と、磁気ヘッド４ａが設けられ、シャフト４０によって回転自在に支持されている回転ドラム４と、回転ドラム４を駆動するモータ５と、モータ５のコイル１２に給電を行う回路基板６と、磁気ヘッド４ａの位置を検出するＰＧ検出素子７等によって構成されている。
【０００３】
モータ５は、駆動用及びＰＧ検出用の着磁が施された回転磁性体１１と、回転磁性体１１を駆動するコイル１２等によって構成されている。回転磁性体１１は、ロータケース１３の内周側に嵌挿されている。ロータケース１３は、ねじ１４によって回転ドラム４に結合されている。また、コイル１２が巻回された心材１５は、ねじ４１によって回路基板６と共に、与圧ボス４２に固定されている。与圧ボス４２は、シャフト４０に結合されている。ＰＧ検出素子７は、回転磁性体１１の回転軌道の近傍に配置され、回転磁性体１１の回転に伴い所定のパルス信号を発生する。
【０００４】
また、例えば、特許文献１によれば、回転ドラムの磁気ヘッド位置を検出するＰＧ検出素子を音声／コントロールヘッドの対面側に配置すると共に、音声／コントロールヘッドの方向に磁気遮蔽部材を配置することにより、音声／コントロールヘッドにおけるオーディオノイズの低減を図っている。
【０００５】
【特許文献１】
特開平５−３２８６９２号公報
【０００６】
【考案が解決しようとする課題】
しかしながら、上述した従来の回転磁気ヘッド装置１００においては、回転磁性体１１に駆動用の着磁とＰＧ検出用の着磁を施しているので、駆動用の着磁から出た磁束がＰＧ検出素子７に漏れ、ＰＧの検出に影響を及ぼすことがある。また、コイル１２の切替（スイッチング）ノイズがＰＧ検出素子７に飛び込み、ＰＧ検出素子７は正確なパルス信号を出力できないことがある。また、回路基板６のみによってＰＧ検出素子７を位置決めしているので、製造工程においてその位置精度を管理することが困難である。さらにまた、回路基板６が外力を受けて変形したとき、回転磁性体１１とＰＧ検出素子７とのギャップが変動するため、これによってもＰＧ検出素子７の検出精度が悪化することがある。
【０００７】
このような問題は、上記特許文献１に示された回転磁気ヘッド装置を用いても解決することができない。
【０００８】
本考案は、上述した問題点を解決するためになされたものであり、ＰＧ検出素子による回転ドラムの磁気ヘッド位置の検出精度を高めることができる回転磁気ヘッド装置を提供することを目的とする。
【０００９】
【課題を解決するための手段】
上記目的を達成するために請求項１の考案は、磁気テープをガイドする固定ドラムと、固定ドラムと同軸に回転自在に支持され、磁気テープに対して信号を記録／再生する磁気ヘッドを有する回転ドラムと、駆動用及びＰＧ検出用の着磁が施され、回転ドラムに結合されている環状の回転磁性体及び回転磁性体を駆動するコイルを有し、回転ドラムを回転駆動する駆動モータと、回転磁性体のＰＧ検出用の着磁が施されたＰＧ着磁部の回転軌道の近傍に配置され、磁気ヘッドの位置を検出するＰＧ検出素子と、ＰＧ検出素子が実装されると共に、駆動モータのコイルに給電を行う回路基板とを備えた回転磁気ヘッド装置において、ＰＧ着磁部は、環状の回転磁性体の上端面に回転ドラムの軸と平行に着磁され、駆動モータのコイル及び回路基板は、固定ドラムから立設された支持部材によって支持されている軟質磁性材料から成る磁気遮蔽部材に固定され、磁気遮蔽部材は、回路基板と駆動モータの間に設けられ、ＰＧ検出素子に対応する位置に、ＰＧ着磁部から出た磁束を透過させるための開孔を有し、回路基板が磁気遮蔽部材に固定され、また、ＰＧ検出素子が磁気遮蔽部材の開孔の端面と当接することにより、ＰＧ検出素子は位置決めされ、これにより、駆動モータの回転磁性体とＰＧ検出素子とのギャップの変動を抑制すると共に、磁気遮蔽部材によって、回転磁性体からの駆動用着磁の漏れ磁束、及び、駆動モータのコイルの切替ノイズを遮蔽し、もって、ＰＧ検出素子の検出精度の向上を図ったものである。
【００１０】
この構成によれば、回転磁性体からの駆動用着磁の漏れ磁束、及び、駆動モータのコイルの切替（スイッチング）ノイズは、軟質磁性材料から成る磁気遮蔽部材によって遮蔽される。また、ＰＧ着磁部から出た磁束は、磁気遮蔽部材に設けられた開孔を透過して、ＰＧ検出素子によって検出される。これにより、ＰＧ着磁部から出た磁束のみをＰＧ検出素子によって検出することができ、ＰＧ検出素子の検出精度を高めることができる。また、回路基板は支持部材によって支持された磁気遮蔽部材に固定され、また、ＰＧ検出素子が磁気遮蔽部材の開孔の端面と当接することにより、ＰＧ検出素子は強固かつ正確に位置決めされる。これにより、回転磁性体とＰＧ検出素子とのギャップが所定の値に維持され、ＰＧ検出素子の検出精度を高めることができる。支持部材は、固定ドラムから立設されているので、回転ドラムとの回転軸と駆動モータの回転軸を正確に一致させる軸調整を回転磁気ヘッド装置単体で容易に行うことができ、装置の製造工程を簡素化することができる。
【００１１】
請求項２の考案は、磁気テープに対して信号を記録／再生する磁気ヘッドを有する回転ドラムと、駆動用及びＰＧ検出用の着磁が施され、回転ドラムに結合されている回転磁性体及び回転磁性体を駆動するコイルを有し、回転ドラムを回転駆動する駆動モータと、回転磁性体のＰＧ検出用の着磁が施されたＰＧ着磁部の回転軌道の近傍に配置され、磁気ヘッドの位置を検出するＰＧ検出素子と、ＰＧ検出素子が実装されると共に、駆動モータのコイルに給電を行う回路基板とを備えた回転磁気ヘッド装置において、回路基板と駆動モータの間には磁気遮蔽部材が設けられ、磁気遮蔽部材によって、駆動モータの回転磁性体からの漏れ磁束、及び、駆動モータのコイルの切替ノイズを遮蔽し、ＰＧ検出素子の検出精度の向上を図ったものである。
【００１２】
この構成によれば、回転磁性体からの駆動用着磁の漏れ磁束、及び、駆動モータのコイルの切替ノイズは、磁気遮蔽部材によって遮蔽される。これにより、ＰＧ検出素子の検出精度を高めることができる。
【００１３】
請求項３の考案は、請求項２に記載の回転磁気ヘッド装置において、磁気遮蔽部材は、軟質磁性材料から成るものである。この構成によれば、磁気遮蔽部材の遮蔽効果を高めることができる。
【００１４】
請求項４の考案は、請求項２又は請求項３に記載の回転磁気ヘッド装置において、磁気遮蔽部材は、ＰＧ検出素子に対応する位置に、ＰＧ着磁部から出た磁束を透過させるための開孔を有しているものである。この構成によれば、ＰＧ着磁部から出た磁束は開孔を透過してＰＧ検出素子によって確実に検出され、これにより、磁気遮蔽部材の遮蔽効果と相まって、ＰＧ検出素子の検出精度を高めることができる。
【００１５】
請求項５の考案は、請求項２乃至請求項４のいずれかに記載の回転磁気ヘッド装置において、磁気遮蔽部材は回転ドラムの外周近傍に立設された支持部材によって支持されており、駆動モータのコイル及び回路基板は、磁気遮蔽部材に固定されているものである。この構成によれば、回路基板が支持部材によって支持された磁気遮蔽部材に固定されているので、回路基板の変形が抑制される。これにより、回転磁性体とＰＧ検出素子とのギャップを所定の値に維持することができ、ＰＧ検出素子の検出精度を高めることができる。
【００１６】
【考案の実施の形態】
本考案の一実施形態による回転磁気ヘッド装置について図面を参照して説明する。図１は、ビデオカセットレコーダのデッキシャーシに搭載された状態の回転磁気ヘッド装置の外観構成を示している。図２において（ａ）は回転磁気ヘッド装置の平面図を示し、（ｂ）は（ａ）におけるＡ−Ｂ線断面図を示している。回転磁気ヘッド装置１は、デッキシャーシ２に傾けて搭載されている固定ドラム３と、固定ドラム３と同軸に回転自在に支持されている回転ドラム４と、回転ドラム４を駆動するモータ（駆動モータ）５と、モータ５に給電を行う回路基板６と、回転ドラム４に装着されている磁気ヘッド４ａの位置を検出するＰＧ検出素子７と、ＰＧ検出素子７を磁気的に遮蔽すると共にモータ５を支持する磁気遮蔽部材８等によって構成されている。
【００１７】
回転ドラム４はシャフト９によって支持されている。シャフト９は、固定ドラム３の中心部に設けられた穴に内嵌された、例えば、燒結メタル軸受け１０によって回転自在に支持されている。回転ドラム４には、磁気テープに信号を記録／再生するための磁気ヘッド４ａが装着されている。
【００１８】
モータ５は、駆動用及びＰＧ検出用の着磁が施された環状の回転磁性体１１と、回転磁性体１１を駆動するコイル１２と、ロータケース１３等によって構成されている。回転磁性体１１は、ロータケース１３の内周に嵌挿されている。ロータケース１３は、ねじ１４によって回転ドラム４に結合されている。また、コイル１２が巻回された心材１５は、ねじ１６によってボス１７に固定されている。ねじ１６は、回路基板６、磁気遮蔽部材８、ボス１７及び心材１５を共締めする。これによって、モータ５は磁気遮蔽部材８によって吊り下げ支持されることになる。
【００１９】
回転磁性体１１の駆動用の着磁は、回転磁性体１１の円周方向にＮ極とＳ極が交互に位置するように施されている。また、ＰＧ検出用の着磁は、回転磁性体１１の上端面の周上１箇所に形成されたＰＧ着磁部１１ａ（図１参照）に、シャフト９と平行な方向に施されている。
【００２０】
回路基板６は、コイル１２に給電を行うための回路が形成されており、ケーブル１８を介してビデオカセットレコーダの制御部（図示せず）と接続されている。この回路基板６は、ＰＧ検出素子７を嵌挿して実装するための開口１９を有している。ＰＧ検出素子７は、回転磁性体１１の回転軌道の近傍に配置され、回転磁性体１１の回転に伴いＰＧ着磁部１１ａが接近又は遠ざかることを検出し、これに応じた所定のリニア信号（ＰＧ−Ａ信号）を発生する。このリニア信号は、ケーブル１８を介してビデオカセットレコーダの制御部に伝達され、増幅回路で増幅された後、ドライバＩＣ内でパルス化されて出力され、このパルス信号に基づいて、モータ５等が制御部によってフィードバック制御される。
【００２１】
磁気遮蔽部材８は、板状の軟質磁性材料によって形成され、モータ５とＰＧ検出素子７の間に位置するように、その一端側がねじ１６によってボス１７に固定された後、他端側がねじ２０によって支持部材２１に結合される。ここで、軟質磁性材料とは、保持力が小さく、かつ透磁率が高い材料であり、例えば、鉄又はケイ素鋼等が挙げられる。支持部材２１は、金属板を断面コの字状に成形することにより形成され、その上部に磁気遮蔽部材８が結合されていると共に、下部がねじ２２によって固定ドラム３の下端面に固定されている。
【００２２】
図３は磁気遮蔽部材８を示している。磁気遮蔽部材８のＰＧ検出素子７に対応する位置には、ＰＧ検出素子７を位置決めするための溝状の開孔２３が形成されている。開孔２３の幅寸法はＰＧ検出素子７の外径と略一致し（図２参照）、ＰＧ検出素子７は開孔２３の端面と当接して正確に位置決めされる。図２（ａ）に示されるように、平面視における磁気遮蔽部材８に対する回路基板６の取り付け角度は、ケーブル１８の取り回し等を考慮して設定すればよく、それに応じて開孔２３の位置が決定される。
【００２３】
上述のごとく構成された回転磁気ヘッド装置１によれば、回転磁性体１１からの駆動用着磁の漏れ磁束、及び、モータ５のコイル１２の切替ノイズは、軟質磁性材料から成る磁気遮蔽部材８によって遮蔽される。また、ＰＧ着磁部１１ａから出た磁束は、磁気遮蔽部材８に設けられた開孔２３を透過して、ＰＧ検出素子７によって検出される。これにより、ＰＧ検出素子７によって検出される磁束はほとんどＰＧ着磁部１１ａから出たもののみとなり、ＰＧ検出素子７による回転ドラム４の磁気ヘッド４ａの位置の検出精度を高めることができる。また、回路基板６は支持部材２１によって支持された磁気遮蔽部材８に固定され、また、ＰＧ検出素子７が磁気遮蔽部材８の開孔２３の端面と当接することにより、ＰＧ検出素子７は正確かつ強固に位置決めされる。これにより、回路基板６が外力を受けたときであっても回転磁性体１１とＰＧ検出素子７とのギャップが一定に維持され、ＰＧ検出素子７による磁気ヘッド４ａの位置の検出精度を高めることができる。さらにまた、支持部材２１は、固定ドラム３の下端面から立設されているので、回転ドラム４との回転軸とモータ５の回転軸を正確に一致させる軸調整を回転磁気ヘッド装置１単体で容易に行うことができ、装置の製造工程を簡素化することができる。
【００２４】
なお、本考案は上記実施形態の構成に限られることなく種々の変形が可能であり、例えば、モータ５が磁気遮蔽部材８によって吊り下げ固定されている形態に限られることなく、図５に示される従来の回転磁気ヘッド装置１００と同様に、与圧ボス４２によってシャフト４０に固定されている構造としてもよい。この場合、支持部材２１等を廃したうえで、磁気遮蔽部材８をねじ４１によって与圧ボス４２に回路基板６と共締めする構造とすればよい。また、磁気遮蔽部材８の形状は、図３において示したものが最も望ましいが、図４に示すものであっても構わない。この場合においても、回転磁性体１１の内周側に分布する磁束及びコイル１２が発生する切替ノイズを遮蔽することができると共に、回路基板６の変形を抑制することができ、ＰＧ検出素子７の検出精度を高めることができる。さらにまた、支持部材２１は、ビデオカセットレコーダのデッキシャーシ２から立設されている構成であっても構わない。
【００２５】
【考案の効果】
以上のように請求項１の考案によれば、ＰＧ着磁から出た磁束が開孔を透過し、駆動用着磁からの漏れ磁束等は軟質磁性材料から成る磁気遮蔽部材によって遮蔽されるので、ＰＧ着磁部から出た磁束のみをＰＧ検出素子によって検出することができ、該素子による回転磁気ヘッドの位置の検出精度を高めることができる。また、回路基板が支持部材によって支持された磁気遮蔽部材に固定されているので、回路基板の変形が抑制される。これにより、回転磁性体とＰＧ検出素子とのギャップが一定に維持され、ＰＧ検出素子の検出精度を高めることができる。さらにまた、支持部材は、固定ドラムから立設されているので、回転ドラムとの回転軸と駆動モータの回転軸を正確に一致させる軸調整を回転磁気ヘッド装置単体で容易に行うことができ、装置の製造工程を簡素化することができる。
【００２６】
請求項２の考案によれば、駆動用着磁からの漏れ磁束等は磁気遮蔽部材によって遮蔽されるので、該素子による回転磁気ヘッドの位置の検出精度を高めることができる。
【００２７】
請求項３の考案によれば、磁気遮蔽部材の遮蔽効果が高まるので、ＰＧ検出素子の検出精度を高めることができる。
【００２８】
請求項４の考案によれば、ＰＧ着磁部から出た磁束をＰＧ検出素子によって確実に検出することができるので、ＰＧ検出素子の検出精度を高めることができる。
【００２９】
請求項５の考案によれば、回路基板が支持部材によって支持された磁気遮蔽部材に固定されているので、回路基板の変形を抑制することができ、これにより、回転磁性体とＰＧ検出素子とのギャップを所定値に維持することができ、ＰＧ検出素子の検出精度を高めることができる。
【図面の簡単な説明】
【図１】本考案の一実施形態による回転磁気ヘッド装置の外観構成を示す斜視図。
【図２】（ａ）は同装置の平面図、（ｂ）は（ａ）におけるＡ−Ｂ線断面図。
【図３】同装置における磁気遮蔽部材の平面図。
【図４】同装置における別の磁気遮蔽部材の平面図。
【図５】（ａ）は従来の回転磁気ヘッド装置の平面図、（ｂ）は（ａ）におけるＣ−Ｄ線断面図。
【符号の説明】
１　　回転磁気ヘッド装置
３　　固定ドラム
４　　回転ドラム
４ａ　　磁気ヘッド
５　　モータ（駆動モータ）
６　　回路基板
７　　ＰＧ検出素子
８　　磁気遮蔽部材
１１　　回転磁性体
１１ａ　　ＰＧ着磁部
１２　　コイル
２１　　支持部材
２３　　開孔
【図１】
0003097433.tif 000003
【図２】
0003097433.tif 000004
【図３】
0003097433.tif 000005
【図４】
0003097433.tif 000006
【図５】
0003097433.tif 000007